(57)【要約】【課題】再生時や追記時における機械特性の悪化を防止することができる光記録媒体、それに用いられる環状基板、及びその光記録媒体に対する記録及び再生が可能なディスクドライブ装置を提供する。【解決手段】本発明の一形態に係る光記録媒体は、環状基板と、記録機能層とを具備する。  上記環状基板は、クランプ部と、記録部と、凹部とを有する。  上記クランプ部は、平坦なクランプ面を含み中央部の開口周囲に形成される。  上記記録部は、上記クランプ面から一段低く形成された記録面を含み上記クランプ部の外周に形成される。  上記凹部は、上記クランプ部と上記記録部との間に環状に形成され上記記録面から陥没する。  上記記録機能層は、上記記録面及び上記凹部上に形成される。【選択図】図１
2016058113.tif 000002
【特許請求の範囲】
【請求項１】
平坦なクランプ面を含み中央部の開口周囲に形成されたクランプ部と、前記クランプ面から一段低く形成された記録面を含み前記クランプ部の外周に形成された記録部と、前記クランプ部と前記記録部との間に環状に形成され前記記録面から陥没した凹部と、を有する環状基板と、
前記記録面及び前記凹部上に形成された記録機能層と
を具備する光記録媒体。
【請求項２】
請求項１に記載の光記録媒体であって、
前記凹部は、底面と、前記底面及び前記記録面に連接し前記底面から前記記録面側に傾斜するテーパ面とを有する
光記録媒体。
【請求項３】
請求項２に記載の光記録媒体であって、
前記テーパ面は、前記クランプ面と平行な面に対して５度以上９０度未満の角度で傾斜する
光記録媒体。
【請求項４】
請求項１から３のいずれか１項に記載の光記録媒体であって、
前記クランプ部は、前記クランプ面の外周に形成された凸部を含む
光記録媒体。
【請求項５】
請求項１から４のいずれか１項に記載の光記録媒体であって、
前記凹部は、前記記録面から１５０μｍ以上の深さを有する
光記録媒体。
【請求項６】
請求項１から５のいずれか１項に記載の光記録媒体であって、
前記クランプ面は、前記記録面から３００μｍ以上突出して形成される
光記録媒体。
【請求項７】
請求項１から６のいずれか１項に記載の光記録媒体であって、
前記記録機能層は、スピンコートにより形成された複数の樹脂膜を含む
光記録媒体。
【請求項８】
平坦なクランプ面を含み、中央部の開口周囲に形成されたクランプ部と、
前記クランプ面から一段低く形成された記録面を含み、前記クランプ部の外周に形成された記録部と、
前記クランプ部と前記記録部との間に環状に形成され、前記記録面から陥没した凹部と
を具備する光記録媒体用の環状基板。
【請求項９】
請求項１から７のいずれか１項に記載の光記録媒体に対する記録及び再生が可能なディスクドライブ装置であって、
前記クランプ面が載置される載置面を含むターンテーブルと、前記クランプ部を前記ターンテーブルとの間に挟んで固定するクランパと、を有するチャッキング機構と、
前記チャッキング機構を回転駆動させる駆動部と、
前記チャッキングされた光記録媒体の前記記録部に対して記録再生光を出射し、かつ前記記録部で反射された前記記録再生光を受光する光ピックアップと
を具備するディスクドライブ装置。
【発明の詳細な説明】
【技術分野】
【０００１】
本発明は、光記録媒体、それに用いられる環状基板、及びその光記録媒体に対する記録及び再生が可能なディスクドライブ装置に関する。
【背景技術】
【０００２】
光ディスクは、一般に、環状の光ディスク基板と、当該光ディスク基板上に形成された記録層等の積層構造とを有する。当該積層構造には、記録マークが形成され得る記録層のほか、保護層や隣り合う記録層間に形成される中間層等の樹脂膜を含む。これらの樹脂膜は、例えばスピンコート法によって当該基板上に形成される（特許文献１参照）。
【０００３】
一般にスピンコート法では、光ディスク基板をターンテーブル等に取り付け、当該基板を回転させながら樹脂材料を滴下することで、遠心力により樹脂膜を平坦化させるが、厚みを均一化させることは難しかった。そこで、例えば特許文献２には、光ディスク基板の内周部に環状の突起部を設けた構成が開示されている。
【先行技術文献】
【特許文献】
【０００４】
【特許文献１】特開２０１４−１２０１８２号公報
【特許文献２】特開２００１−１５７４７２号公報
【発明の概要】
【発明が解決しようとする課題】
【０００５】
しかしながら、特許文献２に記載の構成では、光ディスクドライブにチャッキングされる部分が樹脂膜を含むため、平坦性が確保できず、再生時や追記時におけるラジアル反り角の周変動や面振れ等の機械特性の悪化を招く恐れがあった。
【０００６】
以上のような事情に鑑み、本発明の目的は、再生時や追記時における機械特性の悪化を防止することができる光記録媒体、それに用いられる環状基板、及びその光記録媒体に対する記録及び再生が可能なディスクドライブ装置を提供することにある。
【課題を解決するための手段】
【０００７】
上記目的を達成するため、本発明の一形態に係る光記録媒体は、環状基板と、記録機能層とを具備する。
上記環状基板は、クランプ部と、記録部と、凹部とを有する。
上記クランプ部は、平坦なクランプ面を含み中央部の開口周囲に形成される。
上記記録部は、上記クランプ面から一段低く形成された記録面を含み上記クランプ部の外周に形成される。
上記凹部は、上記クランプ部と上記記録部との間に環状に
形成され上記記録面から陥没する。
上記記録機能層は、上記記録面及び上記凹部上に形成される。
【０００８】
上記光記録媒体によれば、追記時や再生時に光ディスクドライブにチャッキングされるクランプ面を環状基板で構成することができるとともに、記録機能層がクランプ面上に形成されない構成とすることができる。これにより、クランプ面を平坦化することができ、ラジアル反り角の周変動や面振れ等の機械特性の悪化を防止することができる。さらに、スピンコート等の塗布によって記録機能層の一部の膜が形成される際、凹部を塗布開始位置とすることができ、塗布開始位置にできやすい膜の盛り上がりや凹凸等による悪影響を抑えることができる。これによっても、ディスクチャッキング時の機械特性の悪化を防止することができる。
【０００９】
上記凹部は、底面と、上記底面及び上記記録面に連接し上記底面から上記記録面側に傾斜するテーパ面とを有してもよい。
【００１０】
上記テーパ面により、塗布時に多くの材料が凹部内に流入したとしても、当該材料を記録面側に排出しやすい構成とすることができる。したがって、盛り上がりや凹凸の少ない樹脂膜を形成することができる。
【００１１】
また、上記テーパ面は、上記クランプ面と平行な面に対して５度以上９０度未満の角度で傾斜してもよい。
【００１２】
これにより、凹部に流入しすぎた記録機能層の材料をより円滑に排出させることができる。
【００１３】
また、上記クランプ部は、上記クランプ面の外周に形成された凸部を含んでもよい。
【００１４】
これにより、記録機能層の一部の膜の塗布時に材料がクランプ面により付着しにくい構成とすることができ、クランプ面を平坦に構成することが容易になる。
【００１５】
上記凹部は、例えば、上記記録面から１５０μｍ以上の深さを有していてもよい。
【００１６】
これにより、記録機能層の材料が凹部に多く流入された場合でも、盛り上がり等を緩和する効果を十分に発揮することができる。
【００１７】
また、上記クランプ面は、上記記録面から３００μｍ以上突出して形成されてもよい。
【００１８】
これにより、記録機能層を十分な厚みで形成した場合でも、クランプ面を記録機能層の表面から突出又は同程度の高さとすることができ、クランプ面で安定的にディスクチャッキングすることができる。
【００１９】
さらに、上記記録機能層は、スピンコートにより形成された複数の樹脂膜を含んでもよい。
【００２０】
これにより、記録機能層を多層化することができる。また、樹脂膜を多層化した場合、スピンコートの塗布開始位置に盛り上がりや凹凸ができやすくなるが、この場合であっても上記構成によりこれらの悪影響を抑え機械特性を良好に維持することができる。
【００２１】
また、上記目的を達成するため、本発明の一形態に係る環状基板は、クランプ部と、記録部と、凹部とを具備する。
上記クランプ部は、平坦なクランプ面を含み、中央部の開口周囲に形成される。
上記記録部は、上記クランプ面から一段低く形成された記録面を含み、上記クランプ部の外周に形成される。
上記凹部は、上記クランプ部と上記記録部との間に環状に形成され、上記記録面から陥没する。
【００２２】
さらに、上記目的を達成するため、本発明の一形態に係るディスクドライブ装置は、チャッキング機構と、駆動部と、光ピックアップ部とを具備し、上記光記録媒体に対する記録及び再生が可能に構成される。
上記チャッキング機構は、上記クランプ面が載置される載置面を含むターンテーブルと、上記クランプ部を上記ターンテーブルとの間に挟んで固定するクランパと、を有する。
上記駆動部は、上記チャッキング機構を回転駆動させる。
上記光ピックアップ部は、上記チャッキングされた光記録媒体の上記記録部に対して記録再生光を出射し、かつ上記記録部で反射された上記記録再生光を受光する。
【図面の簡単な説明】
【００２３】
【図１】本発明の一実施形態に係る光記録媒体を示す概略断面図である。
【図２】上記光記録媒体の平面図である。
【図３】Ａは、上記光記録媒体の記録部及び記録機能層を示す拡大断面図であり、ＢはＡの要部を示す図である。
【図４】上記光記録媒体の環状基板の構成を示す概略断面図である。
【図５】上記光記録媒体の凹部１１３の構成を示す要部断面図である。
【図６】クランプ面に凹凸が形成された場合の機械特性への影響を調べた実験結果を示すグラフである。
【図７】本発明の一実施形態に係るディスクドライブ装置を示す模式的な図である。
【図８】本実施形態の変形例に係る環状基板の構成を示す要部断面図である。
【図９】本実施形態の他の変形例に係る環状基板の構成を示す要部断面図である。
【発明を実施するための形態】
【００２４】
以下、図面を参照しながら、本発明の実施形態を説明する。
【００２５】
図１及び図２は、本発明の一実施形態に係る光記録媒体を示す図であり、図１は概略断面図、図２は平面図である。
【００２６】
［光記録媒体の全体構成］
本実施形態の光記録媒体１０は、環状基板１１と、環状基板１１上に形成された記録機能層１２とを備える。光記録媒体１０は、例えば追記型多層光ディスクとして構成され、記録機能層１２は、後述するように複数層を含む積層構造を有する。光記録媒体１０は、円盤状をなし、中央部には開口（センターホール）Ｈが形成されている。
【００２７】
環状基板１１は、中央部の開口Ｈ周囲に形成されたクランプ部１１１と、クランプ部１１１の外周に形成された記録部１１２と、クランプ部１１１と記録部１１２との間に環状に形成された凹部１１３とを有する。すなわち、環状基板１１には、径方向に沿って中央部から周縁部へ、クランプ部１１１、凹部１１３、及び記録部１１２が順に形成される。
【００２８】
記録機能層１２は、環状基板１１の記録部１１２の記録面１１２ａ及び凹部１１３上に形成される。
【００２９】
図３Ａは、図１の記録部１１２及び記録機能層１２の拡大断面図であり、ＢはＡの要部を示す図である。なお、図３Ａにおいて、矢印は、記録再生光及びガイドトラッキングに用いられるガイド光の入射方向を示している。
【００３０】
光記録媒体１０は、ガイド層分離型の光ディスクとして構成される。すなわち、環状基板１１は、記録部１１２の記録面１１２ａ上に形成され、トラッキング制御用のガイドトラックとして機能する凹凸部１１４を有する。凹凸部１１４には、側壁面のウォブリングあるいはピット列などによって物理アドレス情報が形成されている。凹凸部１１４は、例えば平面視において渦巻き状に形成されてもよい。
【００３１】
また、図３Ｂに示すように、光記録媒体１０は、凹凸部１１４に倣って凹凸部１１４を被覆して形成された金属材料等からなる反射膜１４を備えていてもよい。凹凸部１１４及び反射膜１４は、光記録媒体１０のガイド部１３を構成する。光記録媒体１０がいわゆるガイド層分離型で構成されることで、記録機能層１２の各層をガイド溝のない平坦な膜で形成することができ、記録機能層１２を多層化することが容易になる。
【００３２】
［記録機能層の構成］
図３Ａに示すように、記録機能層１２は、バッファ層１２１、複数の記録再生層１２２、複数の中間層１２３、及び保護層１２４を有する。記録機能層１２は、全体として約３００μｍの厚みを有する。図示する光記録媒体１１は、４層の記録再生層１２２及び３層の中間層１２３を有するが、これに限定されない。
【００３３】
バッファ層１２１、中間層１２３及び保護層１２４は、いずれも記録再生光及びガイド光に対して透過性を有する樹脂材料で構成され、本実施形態における「樹脂膜」として機能する。すなわち、本実施形態において記録機能層１２は、複数の樹脂膜を有する。バッファ層１２１は、環状基板１１とこれに最も近い記録再生層１２２との間に介層される。中間層１２３は、隣り合う記録再生層１２２の間に形成される。保護層１２４は、最も環状基板１１に遠い記録再生層１２２上に形成される。
【００３４】
バッファ層１２１、中間層１２３及び保護層１２４は、いずれも紫外線硬化型の樹脂材料で構成され得る。当該樹脂材料としては、例えば、アイオノマー樹脂、ポリアミド系樹脂、アクリル樹脂、ビニル系樹脂等が挙げられる。これらの樹脂には光重合開始剤として芳香族ケトンなどが添加されていても良い。このようなバッファ層１２１及び中間層１２３は、例えば、スピンコート法により形成される。具体的には、バッファ層１２１及び中間層１２３は、環状基板１１をターンテーブル等に載置し、例えば凹部１１３上から液状の光硬化性樹脂材料を供給し、環状基板１１を回転させながらこの樹脂材料を遠心力により流延させることで形成される。スピンコートの条件としては、例えば回転数を５００ｒｐｍ〜８０００ｒｐｍとすることができる。
【００３５】
バッファ層１２１の厚みは、例えば１００〜２００μｍ程度とすることができ、中間層１２３の厚みは、例えば５〜３０μｍ程度とすることができる。また、保護層１２４の厚みは、例えば１０〜２００μｍ程度とすることができる。
【００３６】
記録再生層１２２は、それぞれ同一の層構造を有し、中間層１２３を挟んで相互に積層されている。基板１１に最も近い記録再生層１２２は、反射膜１４で被覆された凹凸部１１４の深さよりも大きな厚みで形成されたバッファ層１２１（平坦化層）の上に成膜される。したがってバッファ層１２１上に成膜される記録再生層１２２及び中間層１２３は、溝（ガイドトラック）のない平坦な平面上に順次積層される。
【００３７】
記録再生層１２２は、図示しない複数の記録膜や光学調整膜を含んでいてもよい。当該記録膜の材料は、記録再生光やガイド光の波長等に基づいて適宜選択することができる。また、光学調整膜の材料も、記録再生層１２２の透過率の調整や、当該記録膜に記録された情報（記録マーク）の再生に必要な反射率を確保する目的で適宜選択することができる。
【００３８】
［環状基板の構成］
環状基板１１は、例えば、ポリカーボネート等の紫外線硬化型の樹脂材料で構成される。環状基板１１は、典型的にはスタンパ等の成形金型を用いて射出成形され、外径は約１２０ｍｍで形成される。環状基板１１は、本実施形態において、略平坦な環状の表面１１ａを有し、その表面１１ａの反対側に、クランプ面１１１ａ、凹部１１３、及び記録面１１２ａが形成される。
【００３９】
図４は、環状基板１１の構成を示す概略断面図である。環状基板１１は、上述のように、クランプ部１１１と、記録部１１２と、凹部１１３とを有する。図４及び図２を参照し、例えば、クランプ部１１１は、径方向に沿って中心から約２３ｍｍ〜３３ｍｍ（図４のＲ１参照）、凹部１１３は、径方向に沿って中心から約３３〜３７ｍｍ（図４のＲ２参照）、記録部１１２は径方向に沿って中心から約３７ｍｍ〜の領域に形成されるものとする。各部の構成について、より詳細に説明する。
【００４０】
（クランプ部）
クランプ部１１１は、環状基板１１のうち最も厚く構成され、例えば１．２〜１．５ｍｍの厚みで形成される。クランプ部１１１は、平坦なクランプ面１１１ａを有する。クランプ面１１１ａは、再生・追記動作のために光ディスクドライブ等にチャッキングされる面として機能する。クランプ面１１１ａは、後述するように、凹部１１３からＴ１、記録面１１２ａからＴ２だけ突出して形成される。
【００４１】
（記録部）
記録部１１２は、クランプ面１１１ａから一段低く形成された記録面１１２ａを含む。記録面１１２ａ上には、上述の記録機能層１２が形成される。記録面１１２ａは、例えばクランプ面１１１ａから厚み方向にＴ２だけ低い位置に形成され得る。Ｔ２は、例えば３００μｍ以上とすることができる。これにより、クランプ面１１１ａと記録機能層１２の最外面（保護層１２４）とがおよそ同一平面上に形成され得る。
【００４２】
（凹部）
凹部１１３は、記録面１１２ａから陥没して形成される。凹部１１３は、例えば、クランプ面１１１ａからＴ１の深さを有し、記録面１１２ａからＴ３の深さを有する環状の溝で構成される。例えば、Ｔ１は４５０μｍ以上とすることができ、Ｔ３は１５０μｍ以上とすることができる。これにより、樹脂膜のスピンコート時に凹部１１３内に樹脂が流入した場合に、十分な深さを確保することができる。凹部１１３の短手方向（径方向）の幅Ｒ２は、例えば２〜４ｍｍ程度で構成され得る。当該幅は、周方向に沿って一定であってもよいし、変化していてもよい。なお、以下の説明において「幅」とは、環状基板１１の径方向の長さをいうものとする。
【００４３】
図５は、凹部１１３の構成を示す要部断面図である。本実施形態において、凹部１１３は、底面１１３ａと、テーパ面１１３ｂとを有する。底面１１３ａは、略平坦に構成されてもよいし、曲面で構成されてもよい。底面１１３ａの幅は、約１〜２ｍｍ程度で構成され得る。
【００４４】
テーパ面１１３ｂは、底面１１３ａ及び記録面１１２ａに連接し底面１１３ａから記録面１１２ａ側に傾斜する。テーパ面１１３ｂは、図５に示すように、クランプ面１１１ａと平行な面Ｓとのなす角度αが５度以上９０度未満で構成され、例えば約４５度で構成される。テーパ面１１３ｂの幅は、約１〜２ｍｍ程度で構成され得る。テーパ面１１３ｂは、図５の断面から見たときに曲線状であってもよい。
【００４５】
続いて、実験結果を示しながら以上の構成を有する本実施形態の光記録媒体の作用効果を説明する。
【００４６】
［光記録媒体（環状基板）の作用効果］
図６は、クランプ面に凹凸が形成された場合の機械特性への影響を調べた実験結果を示すグラフであり、横軸はクランプ面の凹凸量［μｍ］、縦軸は光記録媒体１０のラジアル反り角の周変動量［ｄｅｇ］を示す。クランプ面の凹凸量は、面内で最も凹んだ部分から最も突出した部分までの高さ（環状基板の厚み方向の長さ）を示す。
【００４７】
同図に示すように、クランプ面の凹凸量が大きくなるにしたがい、ラジアル反り角の周変動量が大きくなることが確認された。これにより、クランプ面が平坦に形成されることで、ラジアル反り角の周変動量を可能な限り抑制し、機械特性を良好にできることが確認された。
【００４８】
したがって、本実施形態によれば、クランプ面１１１ａを樹脂膜ではなく環状基板１１で構成することで、容易に平坦な構成とすることができ、ラジアル反り角の周変動や面振れ等の機械特性の悪化を防止することができる。
【００４９】
また、クランプ部１１１と記録部１１２との間に凹部１１３を設けることで、スピンコートにおける樹脂の塗布開始位置を凹部１１３上とすることができる。塗布開始位置は、樹脂の表面張力に起因した盛り上がりや、樹脂の吐出時の気泡の巻き込み等による凹凸が形成されやすい。特に、高密度記録化および大容量化の要請に伴い記録再生層１２２を多層化する場合、中間層１２３等の樹脂膜も多層化されることにより、塗布開始位置における上記問題がより顕著となる。そこで、本実施形態によれば、凹部１１３によって、樹脂膜の盛り上がりや凹凸の影響がクランプ部１１１側へ及ばない構成とすることができ、厚み制約のあるなかでより多くの多層化を実現でき、より機械特性の良好な光記録媒体１０を提供することができる。
【００５０】
さらに、凹部１１３がテーパ面１１３ｂを有することで、凹部１１３に流入した樹脂材料を、スピンコート時の遠心力によって記録面１１２ａ側へ容易に排出させることができる。これにより、凹部１１３に多くの樹脂材料が流入した場合であっても、局所的な盛り上がりや突出が形成されることを防止することができる。
【００５１】
以上のような光記録媒体１０は、以下に示すディスクドライブ装置によって安定したデータの記録、再生が可能となる。
【００５２】
［ディスクドライブ装置］
図７は、本実施形態のディスクドライブ装置の構成を示す模式的な図である。同図に示すように、ディスクドライブ装置１００は、チャッキング機構１０１と、駆動部１０４と、光ピックアップ部１０５とを備え、光記録媒体１０に対する記録及び再生が可能に構成される。なお、図中の矢印は記録再生光を示すものとする。
【００５３】
チャッキング機構１０１は、クランプ面１１１ａが載置される載置面１０２ａを含むターンテーブル１０２と、クランプ部１１１をターンテーブル１０２との間に挟んで固定するクランパ１０３とを有する。載置面１０２ａの径は、開口Ｈの径よりも大きく、クランプ面１１１ａの外周の径以下の大きさとすることができる。
【００５４】
駆動部１０４は、チャッキング機構１０１を回転駆動させる。具体的には、駆動部１０４は、ターンテーブル１０２に接続される回転軸１０４ａと、回転軸１０４ａを回転させる図示しないスピンドルモータとを有する。
【００５５】
光ピックアップ部１０５は、チャッキングされた光記録媒体１０の記録機能層１２に対して記録再生光を出射し、かつ記録機能層１２で反射された記録再生光を受光する。光ピックアップ部１０５は、例えば、図示しない光源やレンズ、プリズム等の光学素子、光センサ等を有する。
【００５６】
このような構成のディスクドライブ装置１００によれば、載置面１０２ａによって平坦なクランプ面１１１ａを載置することができるため、駆動中のラジアル反り角の周変動や面振れ等を防止することができる。したがって、誤動作を防止し、安定した記録、再生を行うことが可能となる。
【００５７】
なお、本実施形態の環状基板１１は、以下のような構成も採ることができる。なお、上述の構成と同様の構成については同一の符号を付し、説明を省略する。
【００５８】
［変形例１］
図８は、本実施形態の変形例に係る環状基板２１の構成を示す要部断面図である。同図に示すように、環状基板２１の凹部２１３は、底面２１３ａと、底面２１３ａ及び記録面１１２ａに連接する壁面２１３ｂとを有してもよい。壁面２１３ｂは、上述のクランプ面１１１ａと平行な面Ｓとのなす角度αが９０度とすることができる。これによっても、スピンコートにおける樹脂の塗布開始位置を凹部１１３上とすることができ、機械特性を良好にすることができる。
【００５９】
なお他の構成例として、角度αは９０度に限定されず、鋭角や鈍角等であってもよい。
【００６０】
［変形例２］
図９は、本実施形態の他の変形例に係る環状基板３１の構成を示す要部断面図である。同図に示すように、環状基板３１のクランプ部３１１は、クランプ面３１１ａの外周に形成された凸部３１１ｂを含む。凸部３１１ｂは、平坦なクランプ面３１１ａから突出し、凹部１１３に面して形成される。このような凸部３１１ｂにより、樹脂膜形成時に樹脂材料がクランプ面３１１ａへ付着しにくくなり、クランプ面３１１ａを平坦な構成とすることがより容易になる。
【００６１】
以上、本発明の実施形態について説明したが、本発明は上述の実施形態にのみ限定されるものではなく、本発明の要旨を逸脱しない範囲内において種々変更を加え得ることは勿論である。
【００６２】
例えば以上の実施形態では、ガイド層分離型の光記録媒体を例に挙げて説明したが、これに代えて、記録再生層にトラッキング制御用のガイド溝が形成された光記録媒体にも同様に適用可能である。
【００６３】
また以上の実施形態では、複数の記録層を有する多層光記録媒体を例に挙げて説明したが、これに限られず、単一の記録層を有する一層型の光記録媒体にも同様に適用可能である。
【００６４】
以上の実施形態では、記録機能層がスピンコートにより形成された樹脂膜を有すると説明したが、これに限定されず、例えばスピンコート以外の塗布技術で形成される樹脂膜やその他の膜を有していてもよい。
【符号の説明】
【００６５】
１０…光記録媒体
１１…環状基板
１２…記録機能層
１１１…クランプ部
１１１ａ…記録面
１１２…記録部
１１２ａ…記録面
１１３…凹部
１１３ａ…底面
１１３ｂ…テーパ面
３１１ｂ…凸部
【図１】
2016058113.tif 000003
【図２】
2016058113.tif 000004
【図３】
2016058113.tif 000005
【図４】
2016058113.tif 000006
【図５】
2016058113.tif 000007
【図６】
2016058113.tif 000008
【図７】
2016058113.tif 000009
【図８】
2016058113.tif 000010
【図９】
2016058113.tif 000011